【手続補正書】
【提出日】平成17年2月2日(2005.2.2)
【手続補正１】
【補正対象書類名】明細書
【補正対象項目名】特許請求の範囲
【補正方法】変更
【補正の内容】
【特許請求の範囲】
【請求項１】
データ放送による視聴情報収集システムであって、
映像情報及び音声情報で構成された番組データと、その番組に関連した所定の番組付加情報とを作成し、データ放送を利用して前記番組付加情報を前記番組データと共に放送する放送設備と、
視聴者によって選択された前記番組データ及び前記番組付加情報を受信し、その番組付加情報から抽出される受信番組を特定する番組受信情報と、
視聴者に関する視聴者情報とを含む視聴情報を、作成して送信する複数の放送受信端末と、
前記複数の放送受信端末から送信される前記視聴情報をそれぞれ受信し、この各々の視聴情報に基づいて番組提供者毎に所望の分析／加工処理されたマーケティング情報を生成し、番組提供者へ送出する視聴情報サーバとを備える、視聴情報収集システム。
【請求項２】
前記視聴者情報に、視聴者が番組を視聴した位置を示す情報が含まれることを特徴とする、請求項１に記載の視聴情報収集システム。
【請求項３】
前記視聴者情報に、視聴者が番組のどの部分を視聴したかを示す視聴パターン情報を含むことを特徴とする、請求項１に記載の視聴情報収集システム。
【請求項４】
前記番組付加情報に、番組提供者から提供される画像データ、番組で宣伝される商品の購入に使用可能なクーポンデータ又は番組の詳細情報が入手可能なＷｅｂサーバへのアクセスのためのリンクデータが、少なくとも１つ含まれることを特徴とする、請求項１に記載の視聴情報収集システム。
【請求項５】
前記リンクデータに、Ｗｅｂサーバへのアクセスを許可する所定のパスワードを含ませることにより、アクセスできる前記放送受信端末を限定できることを特徴とする、請求項４に記載の視聴情報収集システム。
【請求項６】
前記視聴者情報に、視聴者が番組にどの程度興味を持ったかを示す興味レベルが含まれることを特徴とする、請求項１に記載の視聴情報収集システム。
【請求項７】
前記番組付加情報に、前記視聴者情報の内、番組提供者が収集を希望する項目を示す項目選択情報を含ませることによって、前記放送受信端末から前記視聴情報サーバへ送出される視聴者情報が当該項目選択情報に従って選択可能であることを特徴とする、請求項１に記載の視聴情報収集システム。
【請求項８】
前記視聴者情報の内、視聴者が収集されても構わない項目を予め前記放送受信端末に設定しておくことによって、前記放送受信端末から前記視聴情報サーバへ送出される視聴者情報が当該設定に従って選択可能であることを特徴とする、請求項１に記載の視聴情報収集システム。
【請求項９】
データ放送による視聴情報収集システムであって、
映像情報及び音声情報で構成された番組データと、その番組に関連した所定の番組付加情報とを作成し、データ放送を利用して前記番組付加情報を前記番組データと共に放送する放送設備と、
視聴者によって選択された前記番組データ及び前記番組付加情報を受信し、その番組付加情報から抽出される受信番組を特定する番組受信情報と、
視聴者に関する視聴者情報とを含む視聴情報を、作成して記憶する複数の放送受信端末と、
前記放送受信端末から前記視聴情報を受信することで、視聴者によるＣＭ番組で宣伝された商品の購入を可能とすると共に、この視聴情報に基づいて番組提供者毎に所望の分析／加工処理された販売店情報を生成し、番組提供者へ送出する販売店端末とを備える、視聴情報収集システム。
【請求項１０】
前記番組付加情報に、ＣＭ番組提供者から提供される画像データ又はＣＭ番組で宣伝される商品の購入に使用可能なクーポンデータが、少なくとも１つ含まれており、
前記画像データ又は前記クーポンデータが前記放送受信端末から前記販売店端末へ送信されることにより、視聴者の購入商品が決定されることを特徴とする、請求項９に記載の視聴情報収集システム。
【請求項１１】
データ放送による視聴情報収集システムであって、
映像情報及び音声情報で構成された番組データと、その番組の詳細情報が入手可能なＷｅｂサーバへのアクセスのためのリンクデータを含む、番組に関連した所定の番組付加情報とを作成し、データ放送を利用して前記番組付加情報を前記番組データと共に放送する放送設備と、
視聴者によって選択された前記番組データ及び前記番組付加情報を受信し、その番組付加情報から抽出される受信番組を特定する番組受信情報と、
視聴者に関する視聴者情報とを含む視聴情報、及び前記リンクデータを、作成して記憶する複数の放送受信端末と、
前記リンクデータを用いた前記放送受信端末からのアクセスに応じたサービス提供を行うと共に、アクセス時に前記視聴情報をそれぞれ取得し、この各々の視聴情報に基づいて番組提供者毎に所望の分析／加工処理されたサービス利用情報を生成し、番組提供者へ送出するＷｅｂサーバとを備える、視聴情報収集システム。
【請求項１２】
映像情報及び音声情報で構成された番組データ及びその番組に関連した所定の番組付加情報を、受信する放送受信端末であって、
視聴者によって選択された前記番組データ及び前記番組付加情報を受信する受信部と、
前記番組付加情報から抽出される受信番組を特定する番組受信情報と、視聴者に関する視聴者情報とを、含む視聴情報を作成する作成部と、
所望の分析／加工処理されたマーケティング情報を生成して番組提供者へ送出する視聴情報サーバへ、前記視聴情報を送信する送信部とを備える、放送受信端末。
【請求項１３】
前記視聴者情報に、視聴者が番組を視聴した位置を示す情報が含まれることを特徴とする、請求項１２に記載の放送受信端末。
【請求項１４】
前記視聴者情報に、視聴者が番組のどの部分を視聴したかを示す視聴パターン情報を含むことを特徴とする、請求項１２に記載の放送受信端末。
【請求項１５】
前記視聴者情報に、視聴者が番組にどの程度興味を持ったかを示す興味レベルが含まれることを特徴とする、請求項１２に記載の放送受信端末。
【請求項１６】
前記視聴者情報の内、番組提供者が収集を希望する項目を送出することを特徴とする、請求項１２に記載の放送受信端末。
【請求項１７】
前記視聴者情報の内、視聴者によって予め設定される収集されても構わない項目を送出することを特徴とする、請求項１２に記載の放送受信端末。
【請求項１８】
映像情報及び音声情報で構成された番組データ及びその番組に関連した所定の番組付加情報を、受信する放送受信端末であって、
視聴者によって選択された前記番組データ及び前記番組付加情報を受信する受信部と、
前記番組付加情報から抽出される受信番組を特定する番組受信情報と、視聴者に関する視聴者情報とを、含む視聴情報を作成して記憶する作成部と、
商品購入を可能とすると共に、番組提供者毎に所望の分析／加工処理された販売店情報を生成して番組提供者へ送出する販売店端末へ、前記視聴情報を送信する送信部とを備える、放送受信端末。
【請求項１９】
前記番組付加情報に、ＣＭ番組提供者から提供される画像データ又はＣＭ番組で宣伝される商品の購入に使用可能なクーポンデータが、少なくとも１つ含まれている場合、
前記画像データ又は前記クーポンデータを前記販売店端末へ送信することにより、視聴者の購入商品を決定させることを特徴とする、請求項１８に記載の放送受信端末。
【請求項２０】
放送設備から番組の映像情報及び音声情報で構成された番組データと、及びその番組の詳細情報が入手可能なＷｅｂサーバへのアクセスのためのリンクデータを含む所定の番組付加情報とを、受信する放送受信端末であって、
視聴者によって選択された前記番組データ及び前記番組付加情報を受信する受信部と、
前記番組付加情報から抽出される受信番組を特定する番組受信情報と視聴者に関する視聴者情報とを含む視聴情報、及び前記リンクデータを、作成して記憶する作成部と、
前記リンクデータを用いたアクセスに応じたサービス提供を行うと共に、番組提供者毎に所望の分析／加工処理されたサービス利用情報を生成して番組提供者へ送出するＷｅｂサーバへ、前記視聴情報を送信する送信部とを備える、放送受信端末。
【請求項２１】
データ放送による視聴情報収集方法であって、
放送局が有する放送設備において、
映像情報及び音声情報で構成された番組データと、その番組に関連した所定の番組付加情報とを作成し、
データ放送を利用して前記番組付加情報を前記番組データと共に放送し、
視聴者が有する放送受信端末において、
視聴者によって選択された前記番組データ及び前記番組付加情報を受信し、
前記受信した番組付加情報から抽出される受信番組を特定する番組受信情報と視聴者に関する視聴者情報とを含む視聴情報を、作成して所定の視聴情報サーバへ送信し、
前記視聴情報サーバにおいて、
複数の前記放送受信端末から送信される前記視聴情報をそれぞれ受信し、
前記受信した各々の視聴情報に基づいて、番組提供者毎に所望の分析／加工処理されたマーケティング情報を生成し、
前記マーケティング情報を番組提供者へ送出することを特徴とする、視聴情報収集方法。
【請求項２２】
データ放送による視聴情報収集方法であって、
放送局が有する放送設備において、
映像情報及び音声情報で構成された番組データと、その番組に関連した所定の番組付加情報とを作成し、
データ放送を利用して前記番組付加情報を前記番組データと共に放送し、
視聴者が有する放送受信端末において、
視聴者によって選択された前記番組データ及び前記番組付加情報を受信し、
前記受信した番組付加情報から抽出される受信番組を特定する番組受信情報と視聴者に関する視聴者情報とを含む視聴情報を、作成して記憶し、
所定の販売店端末において、
視聴者によるＣＭ番組で宣伝された商品の購入時に、前記放送受信端末から前記視聴情報を受信し、
受信した前記視聴情報に基づいて、番組提供者毎に所望の分析／加工処理された販売店情報を生成し、
前記販売店情報を番組提供者へ送出することを特徴とする、視聴情報収集方法。
【請求項２３】
データ放送による視聴情報収集方法であって、
放送局が有する放送設備において、
映像情報及び音声情報で構成された番組データと、その番組の詳細情報が入手可能なＷｅｂサーバへのアクセスのためのリンクデータを含む、番組に関連した所定の番組付加情報とを作成し、
データ放送を利用して前記番組付加情報を前記番組データと共に放送し、
視聴者が有する放送受信端末において、
視聴者によって選択された前記番組データ及び前記番組付加情報を受信し、
前記受信した番組付加情報から抽出される受信番組を特定する番組受信情報と視聴者に関する視聴者情報とを含む視聴情報、及び前記リンクデータを、作成して記憶し、
前記Ｗｅｂサーバにおいて、
前記リンクデータを用いた前記放送受信端末からのアクセスに応じたサービス提供を行う際に、アクセス時に前記視聴情報をそれぞれ取得し、
前記視聴情報に基づいて、番組提供者毎に所望の分析／加工処理されたサービス利用情報を生成し、
前記サービス利用情報を番組提供者へ送出することを特徴とする、視聴情報収集方法。
【手続補正２】
【補正対象書類名】明細書
【補正対象項目名】０００７
【補正方法】変更
【補正の内容】
【０００７】
【課題を解決するための手段および発明の効果】
第１の発明は、データ放送による視聴情報収集システムであって、映像情報及び音声情報で構成された番組データと、その番組に関連した所定の番組付加情報とを作成し、データ放送を利用して番組付加情報を番組データと共に放送する放送設備と、視聴者によって選択された番組データ及び番組付加情報を受信し、その番組付加情報から抽出される受信番組を特定する番組受信情報と、視聴者に関する視聴者情報とを含む視聴情報を、作成して送信する複数の放送受信端末と、複数の放送受信端末から送信される視聴情報をそれぞれ受信し、この各々の視聴情報に基づいて番組提供者毎に所望の分析／加工処理されたマーケティング情報を生成し、番組提供者へ送出する視聴情報サーバとを備える。
上記のように、第１の発明によれば、「いつ、何処で、誰が、どの番組を見た」という視聴に関する有意義なマーケティング情報を、スポンサーや放送局に提供することができる。これにより、スポンサーは、ＣＭ番組がターゲットユーザに対して適切な曜日や時間又は地域に放送されているか等の判断を行うことができる。一方、放送局は、ターゲットユーザとＣＭ番組放送時間帯の相関データを持つことができ、スポンサーとの契約等における有効利用が期待できる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
第２の発明は、第１の発明に従属する視聴情報収集システムであって、視聴者情報に、視聴者が番組を視聴した位置を示す情報が含まれることを特徴とする。
第３の発明は、第１の発明に従属する視聴情報収集システムであって、視聴者情報に、視聴者が番組のどの部分を視聴したかを示す視聴パターン情報を含むことを特徴とする。
上記第２及び第３の発明のような情報を用いることで、有意義なマーケティング情報を得ることができる。
【手続補正６】
【補正対象書類名】明細書
【補正対象項目名】００１１
【補正方法】変更
【補正の内容】
【００１１】
第４の発明は、第１の発明に従属する視聴情報収集システムであって、番組付加情報に、番組提供者から提供される画像データ、番組で宣伝される商品の購入に使用可能なクーポンデータ又は番組の詳細情報が入手可能なＷｅｂサーバへのアクセスのためのリンクデータが、少なくとも１つ含まれることを特徴とする。
第５の発明は、第４の発明に従属する視聴情報収集システムであって、リンクデータに、Ｗｅｂサーバへのアクセスを許可する所定のパスワードを含ませることにより、アクセスできる放送受信端末を限定できることを特徴とする。
上記第４及び第５の発明のような情報を用いれば、視聴者の番組視聴の向上に寄与することができる。特に、第１２の発明のように番組視聴者だけにパスワードを与えるようにすれば、視聴者の番組視聴意欲をかき立てることが期待できる。
【手続補正７】
【補正対象書類名】明細書
【補正対象項目名】００１２
【補正方法】変更
【補正の内容】
【００１２】
第６の発明は、第１の発明にそれぞれ従属する視聴情報収集システムであって、視聴者情報に、視聴者が番組にどの程度興味を持ったかを示す興味レベルが含まれることを特徴とする。
上記のように、第６の発明によれば、「いつ、何処で、誰が、どの番組を見て、どの程度興味を持った」という視聴に関する有意義なマーケティング情報を、有効に活用できる。つまり、このマーケティング情報は、単なる視聴率情報に留まらず、スポンサーのＣＭ番組制作や商品開発、放送局の放送スケジュール管理やＣＭ契約に幅広く活用させることができる。
【手続補正８】
【補正対象書類名】明細書
【補正対象項目名】００１３
【補正方法】変更
【補正の内容】
【００１３】
第７の発明は、第１の発明に従属する視聴情報収集システムであって、番組付加情報に、視聴者情報の内、番組提供者が収集を希望する項目を示す項目選択情報を含ませることによって、放送受信端末から視聴情報サーバへ送出される視聴者情報が項目選択情報に従って選択可能であることを特徴とする。
第８の発明は、第１の発明に従属する視聴情報収集システムであって、視聴者情報の内、視聴者が収集されても構わない項目を予め放送受信端末に設定しておくことによって、放送受信端末から視聴情報サーバへ送出される視聴者情報が設定に従って選択可能であることを特徴とする。
上記第７及び第８の発明のように、必要な項目を絞り込むことで、スポンサーによる効率的な情報収集を可能にすると共に、放送受信端末から視聴情報サーバへの情報伝送量が削減されるので、システムの通信資源を有効に活用させることが可能となる。また、視聴者が項目を選択できるようにすることで、プライバシーを保護することが可能となる。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
第９の発明は、データ放送による視聴情報収集システムであって、映像情報及び音声情報で構成された番組データと、その番組に関連した所定の番組付加情報とを作成し、データ放送を利用して番組付加情報を番組データと共に放送する放送設備と、視聴者によって選択された番組データ及び番組付加情報を受信し、その番組付加情報から抽出される受信番組を特定する番組受信情報と、視聴者に関する視聴者情報とを含む視聴情報を、作成して記憶する複数の放送受信端末と、放送受信端末から視聴情報を受信することで、視聴者によるＣＭ番組で宣伝された商品の購入を可能とすると共に、この視聴情報に基づいて番組提供者毎に所望の分析／加工処理された販売店情報を生成し、番組提供者へ送出する販売店端末とを備える。
上記のように、第９の発明によれば、ＣＭ番組の視聴から、放送受信端末に取り込まれた商品情報を媒介した購買行動、さらに決済に必要な個人認証までが、１つの端末で可能になる。また、この一連の視聴者に関する情報を収集することが可能となる。従って、「どのＣＭ番組を、いつ、何処で、誰が、どのように興味を持って見たか」を示す視聴情報と、「どの商品を、どの販売店で、いくつ、いくらで」購入したかを示す販売店情報とを結び付けることができ、マーケティング情報としての付加価値がより一層高まる。
【手続補正１１】
【補正対象書類名】明細書
【補正対象項目名】００１６
【補正方法】変更
【補正の内容】
【００１６】
第１０の発明は、第９の発明に従属する視聴情報収集システムであって、番組付加情報に、ＣＭ番組提供者から提供される画像データ又はＣＭ番組で宣伝される商品の購入に使用可能なクーポンデータが、少なくとも１つ含まれており、画像データ又はクーポンデータが放送受信端末から販売店端末へ送信されることにより、視聴者の購入商品が決定されることを特徴とする。
上記のように、第１０の発明によれば、視聴者は、ＣＭ番組受信によって取得した画像データ又はクーポンデータを、販売店側に提示するだけで商品購入が可能となるので、販売店での商品選びの手間が省けて便利である。
【手続補正１２】
【補正対象書類名】明細書
【補正対象項目名】００１７
【補正方法】変更
【補正の内容】
【００１７】
第１１の発明は、データ放送による視聴情報収集システムであって、映像情報及び音声情報で構成された番組データと、その番組の詳細情報が入手可能なＷｅｂサーバへのアクセスのためのリンクデータを含む、番組に関連した所定の番組付加情報とを作成し、データ放送を利用して番組付加情報を番組データと共に放送する放送設備と、視聴者によって選択された番組データ及び番組付加情報を受信し、その番組付加情報から抽出される受信番組を特定する番組受信情報と、視聴者に関する視聴者情報とを含む視聴情報、及びリンクデータを、作成して記憶する複数の放送受信端末と、リンクデータを用いた放送受信端末からのアクセスに応じたサービス提供を行うと共に、アクセス時に視聴情報をそれぞれ取得し、この各々の視聴情報に基づいて番組提供者毎に所望の分析／加工処理されたサービス利用情報を生成し、番組提供者へ送出するＷｅｂサーバとを備える。
上記のように、第１１の発明によれば、視聴情報サーバを介すことなく、番組に強く興味を持った視聴者に関する情報を収集することが可能となる。よって、「どの番組を、いつ、何処で、誰が見たか」を示す情報と、さらに興味を持ってＷｅｂサーバにアクセスしてくれたという情報とを直接結び付けることができ、マーケティング情報としての付加価値がより一層高まる。また、視聴情報サーバを設けないので、スポンサーは、単独で視聴情報の収集が可能となる。
【手続補正１３】
【補正対象書類名】明細書
【補正対象項目名】００１８
【補正方法】変更
【補正の内容】
【００１８】
第１２の発明は、映像情報及び音声情報で構成された番組データ及びその番組に関連した所定の番組付加情報を、受信する放送受信端末であって、視聴者によって選択された番組データ及び番組付加情報を受信する受信部と、番組付加情報から抽出される受信番組を特定する番組受信情報と、視聴者に関する視聴者情報とを、含む視聴情報を作成する作成部と、所望の分析／加工処理されたマーケティング情報を生成して番組提供者へ送出する視聴情報サーバへ、視聴情報を送信する送信部とを備える。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
第１３の発明は、第１２の発明に従属する放送受信端末であって、視聴者情報に、視聴者が番組を視聴した位置を示す情報が含まれることを特徴とする。
第１４の発明は、第１２の発明に従属する放送受信端末であって、視聴者情報に、視聴者が番組のどの部分を視聴したかを示す視聴パターン情報を含むことを特徴とする。
【手続補正１６】
【補正対象書類名】明細書
【補正対象項目名】００２１
【補正方法】変更
【補正の内容】
【００２１】
第１５の発明は、第１２の発明に従属する放送受信端末であって、視聴者情報に、視聴者が番組にどの程度興味を持ったかを示す興味レベルが含まれることを特徴とする。
【手続補正１７】
【補正対象書類名】明細書
【補正対象項目名】００２２
【補正方法】変更
【補正の内容】
【００２２】
第１６の発明は、第１２の発明に従属する放送受信端末であって、視聴者情報の内、番組提供者が収集を希望する項目を送出することを特徴とする。
第１７の発明は、第１２の発明に従属する放送受信端末であって、視聴者情報の内、視聴者によって予め設定される収集されても構わない項目を送出することを特徴とする。
【手続補正１８】
【補正対象書類名】明細書
【補正対象項目名】００２３
【補正方法】変更
【補正の内容】
【００２３】
第１８の発明は、映像情報及び音声情報で構成された番組データ及びその番組に関連した所定の番組付加情報を、受信する放送受信端末であって、視聴者によって選択された番組データ及び番組付加情報を受信する受信部と、番組付加情報から抽出される受信番組を特定する番組受信情報と、視聴者に関する視聴者情報とを、含む視聴情報を作成して記憶する作成部と、商品購入を可能とすると共に、番組提供者毎に所望の分析／加工処理された販売店情報を生成して番組提供者へ送出する販売店端末へ、視聴情報を送信する送信部とを備える。
第１９の発明は、第１８の発明に従属する放送受信端末であって、番組付加情報に、ＣＭ番組から提供される画像データ又はＣＭ番組で宣伝される商品の購入に使用可能なクーポンデータが、少なくとも１つ含まれている場合、画像データ又はクーポンデータを販売店端末へ送信することにより、視聴者の購入商品を決定させることを特徴とする。
【手続補正１９】
【補正対象書類名】明細書
【補正対象項目名】００２４
【補正方法】変更
【補正の内容】
【００２４】
第２０の発明は、放送設備から番組の映像情報及び音声情報で構成された番組データと、及びその番組の詳細情報が入手可能なＷｅｂサーバへのアクセスのためのリンクデータを含む所定の番組付加情報とを、受信する放送受信端末であって、視聴者によって選択された番組データ及び番組付加情報を受信する受信部と、番組付加情報から抽出される受信番組を特定する番組受信情報と視聴者に関する視聴者情報とを含む視聴情報、及びリンクデータを、作成して記憶する作成部と、リンクデータを用いたアクセスに応じたサービス提供を行うと共に、番組提供者毎に所望の分析／加工処理されたサービス利用情報を生成して番組提供者へ送出するＷｅｂサーバへ、視聴情報を送信する送信部とを備える。
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】変更
【補正の内容】
【００２８】
第２１の発明は、データ放送による視聴情報収集方法であって、
放送局が有する放送設備において、映像情報及び音声情報で構成された番組データと、その番組に関連した所定の番組付加情報とを作成し、データ放送を利用して番組付加情報を番組データと共に放送し、
視聴者が有する放送受信端末において、視聴者によって選択された番組データ及び番組付加情報を受信し、受信した番組付加情報から抽出される受信番組を特定する番組受信情報と視聴者に関する視聴者情報とを含む視聴情報を、作成して所定の視聴情報サーバへ送信し、
視聴情報サーバにおいて、複数の放送受信端末から送信される視聴情報をそれぞれ受信し、受信した各々の視聴情報に基づいて、番組提供者毎に所望の分析／加工処理されたマーケティング情報を生成し、マーケティング情報を番組提供者へ送出することを特徴とする。
【手続補正２４】
【補正対象書類名】明細書
【補正対象項目名】００２９
【補正方法】変更
【補正の内容】
【００２９】
第２２の発明は、データ放送による視聴情報収集方法であって、
放送局が有する放送設備において、映像情報及び音声情報で構成された番組データと、その番組に関連した所定の番組付加情報とを作成し、データ放送を利用して番組付加情報を番組データと共に放送し、
視聴者が有する放送受信端末において、視聴者によって選択された番組データ及び番組付加情報を受信し、受信した番組付加情報から抽出される受信番組を特定する番組受信情報と視聴者に関する視聴者情報とを含む視聴情報を、作成して記憶し、
所定の販売店端末において、視聴者によるＣＭ番組で宣伝された商品の購入時に、放送受信端末から視聴情報を受信し、受信した視聴情報に基づいて、番組提供者毎に所望の分析／加工処理された販売店情報を生成し、販売店情報を番組提供者へ送出することを特徴とする。
【手続補正２５】
【補正対象書類名】明細書
【補正対象項目名】００３０
【補正方法】変更
【補正の内容】
【００３０】
第２３の発明は、データ放送による視聴情報収集方法であって、
放送局が有する放送設備において、映像情報及び音声情報で構成された番組データと、その番組の詳細情報が入手可能なＷｅｂサーバへのアクセスのためのリンクデータを含む、番組に関連した所定の番組付加情報とを作成し、データ放送を利用して番組付加情報を番組データと共に放送し、
視聴者が有する放送受信端末において、視聴者によって選択された番組データ及び番組付加情報を受信し、受信した番組付加情報から抽出される受信番組を特定する番組受信情報と視聴者に関する視聴者情報とを含む視聴情報、及びリンクデータを、作成して記憶し、
Ｗｅｂサーバにおいて、リンクデータを用いた放送受信端末からのアクセスに応じたサービス提供を行う際に、アクセス時に視聴情報をそれぞれ取得し、視聴情報に基づいて、番組提供者毎に所望の分析／加工処理されたサービス利用情報を生成し、サービス利用情報を番組提供者へ送出することを特徴とする。